(57)【要約】【課題】吸込口の左右長手方向の位置によって吸引力に差を生じさせにくくするよう調整することができる回転ブラシおよびそれを備えた電気掃除機の吸込口体を提供すること。【解決手段】電気掃除機の吸込口体に回転可能に取り付けられる回転ブラシであって、  軸体と、前記軸体の表面に軸方向に延びるように配列された複数列の細長いブラシ部材と、前記軸体の表面における隣接する二列のブラシ部材の間のスペースに設けられた空気流調整用スペーサ部材とを備え、  前記空気流調整用スペーサ部材は、前記スペースを部分的に埋めるように前記軸体の軸方向の長さ寸法よりも短い長さ寸法を有することを特徴とする回転ブラシ。【選択図】図１１
2019201872.tif 000002
【特許請求の範囲】
【請求項１】
電気掃除機の吸込口体に回転可能に取り付けられる回転ブラシであって、
軸体と、前記軸体の表面に軸方向に延びるように配列された複数列の細長いブラシ部材と、前記軸体の表面における隣接する二列のブラシ部材の間のスペースに設けられた空気流調整用スペーサ部材とを備え、
前記空気流調整用スペーサ部材は、前記スペースを部分的に埋めるように前記軸体の軸方向の長さ寸法よりも短い長さ寸法を有することを特徴とする回転ブラシ。
【請求項２】
前記軸体は、表面に複数の溝部を有し、
前記空気流調整用スペーサ部材は、前記溝部に嵌め込まれる基部と、前記溝部から外方へ突出するように前記基部に設けられた膨出部とを有する請求項１に記載の回転ブラシ。
【請求項３】
前記膨出部が、前記基部に植設された複数の縮れ毛を有する請求項２に記載の回転ブラシ。
【請求項４】
前記空気流調整用スペーサ部材が、発泡樹脂からなる請求項２に記載の回転ブラシ。
【請求項５】
前記軸体の前記溝部に嵌め込まれて前記空気流調整用スペーサ部材を位置決めする位置決め材をさらに備えた請求項２〜４のいずれか１つに記載の回転ブラシ。
【請求項６】
前記空気流調整用スペーサ部材が、複数に分割可能に構成されている請求項１〜５のいずれか１つに記載の回転ブラシ。
【請求項７】
請求項１〜６のいずれか１つに記載の回転ブラシと、吸込口および前記吸込口の内側に前記回転ブラシを回転可能に収納する回転ブラシ収納室を有する吸込口本体とを備えた電気掃除機の吸込口体。
【発明の詳細な説明】
【技術分野】
【０００１】
本発明は、回転ブラシおよびそれを備えた電気掃除機の吸込口体に関する。
【背景技術】
【０００２】
従来の電気掃除機において、絨毯やマットといった敷物上のダストの除去性能を向上させるために吸込口体に回転ブラシが設けられている（例えば、特許文献１参照）。
この吸込口体は、底部に設けられた左右方向に延びる吸込口および吸込口の内側に設けられて回転ブラシを回転可能に収納する回転ブラシ収納室を有する吸込口本体と、吸込口本体に関節部を介して揺動可能に連結された接続管部とを備え、掃除機本体と接続された延長管に接続管部が接続される。
【０００３】
回転ブラシは、軸体と、軸体に螺旋状に設けられた複数の起毛ブラシとを有し、吸込口本体内に設けられたモータの回転する出力軸または吸引時の空気流によって回転するタービンからの回転力が伝達されて回転するように構成されている。
【先行技術文献】
【特許文献】
【０００４】
【特許文献１】特開２００９−２６８６８４号公報
【発明の概要】
【発明が解決しようとする課題】
【０００５】
前記従来の吸込口体において、吸込口本体内には関節部と回転ブラシ収納室とを連通させる吸引流路が設けられており、通常、この吸引流路は吸込口本体の左右長手方向の中間部に配置されており、回転ブラシ収納室の左右長手方向の中間部が吸引流路と接続されている。
そのため、吸引清掃時の回転ブラシ収納室内において、左右長手方向の中間部では空気流の速度が速く（負圧が大きく）、左右長手方向の両端部では空気流の速度が遅く（負圧が小さく）なり、この結果、吸込口の左右長手方向の中間部においては吸引力が大きく、左右長手方向の両端部においては吸引力が小さくなり、吸込口の位置によって吸引力に差が生じやすくなっていた。
また、このように吸込口の左右長手方向の位置によって部分的に吸引力が大きい箇所が生じることにより、絨毯やマットといった敷物上で吸込口体を走行させて吸引清掃する際、ダストの除去ムラが生じる、吸込口に敷物が吸い付きやすくなって吸込口体の敷物上での滑りが悪くなるといった不具合が生じていた。
【０００６】
本発明は、このような課題に鑑みなされたものであり、吸込口の左右長手方向の位置によって吸引力に差を生じさせにくくするよう調整することができる回転ブラシおよびそれを備えた電気掃除機の吸込口体を提供することを目的とする。
【課題を解決するための手段】
【０００７】
かくして、本発明によれば、電気掃除機の吸込口体に回転可能に取り付けられる回転ブラシであって、
軸体と、前記軸体の表面に軸方向に延びるように配列された複数列の細長いブラシ部材と、前記軸体の表面における隣接する二列のブラシ部材の間のスペースに設けられた空気流調整用スペーサ部材とを備え、
前記空気流調整用スペーサ部材は、前記スペースを部分的に埋めるように前記軸体の軸方向の長さ寸法よりも短い長さ寸法を有する回転ブラシが提供される。
【０００８】
また、本発明の別の観点によれば、前記回転ブラシと、吸込口および前記吸込口の内側に前記回転ブラシを回転可能に収納する回転ブラシ収納室を有する吸込口本体とを備えた電気掃除機の吸込口体が提供される。
【発明の効果】
【０００９】
二つのブラシ部材の間のスペース（以下、「ブラシ間スペース」という場合がある）に設けられた空気流調整用スペーサ部材を備えた本発明の回転ブラシによれば、スペーサ部材が前記スペースを部分的に埋めるように軸体の軸方向の長さ寸法よりも短い長さ寸法を有するものであるため、例えば、軸体の両端部側にブラシ間スペースを残すようにスペーサ部材を配置することにより、吸込口の左右長手方向において、吸込口体の吸引力の差を生じさせにくくすることができる。
【００１０】
つまり、従来の一般的な吸込口体では、回転ブラシ収納室の左右長手方向の中間部が吸引流路を介して関節部と接続されているため、吸込口の左右長手方向の中間部の吸引力が両端部の吸引力よりも大きくなるが、このような吸込口体に本発明の前記構成を備えた回転ブラシを用いることにより、回転ブラシ収納室における左右両端側での空気の流通性が向上し、この結果、吸込口の左右長手方向の両端部の吸引力と中間部の吸引力との差を低減することができる。また、このように吸込口の左右長手方向において吸込口体の吸引力の差を低減することにより、絨毯やマットといった敷物上で吸込口体を走行させて吸引清掃する際、吸込口に敷物が吸い付きにくくなり、吸込口体の敷物上での滑りが改善される。
なお、本発明の回転ブラシおよびそれを備えた吸込口体は、サイクロン方式や紙パック方式といった吸込性能の異なる掃除機本体に共用することができ、吸込性能の異なる掃除機本体であっても前記効果が同様に得ることができる。
【図面の簡単な説明】
【００１１】
【図１】本発明の実施形態１の吸込口体を備えた電気掃除機を示す外観斜視図である。
【図２】図１に示す電気掃除機の吸込口体の上面図である。
【図３】図２に示す吸込口体の底面図である。
【図４】図２に示す吸込口体の左側面図である。
【図５】図３に示す吸込口体のI-I矢視断面図である。
【図６】図３に示す吸込口体のII-II矢視断面図である。
【図７】図２に示す吸込口体の分解斜視図である。
【図８】実施形態１の回転ブラシを示す正面図である。
【図９】図８に示す回転ブラシのIII-III矢視断面図である。
【図１０】図８に示す回転ブラシにおけるブラシ部材の取付構造を説明する断面図である。
【図１１】図２に示す吸込口体の簡易的な底面図である。
【図１２】実施形態２の回転ブラシにおけるブラシ部材の取付構造を説明する断面図である。
【図１３】実施形態３の吸込口体の簡易的な底面図である。
【図１４】実施形態３の吸込口体の変形例１を示す簡易的な底面図である。
【図１５】実施形態４の吸込口体の簡易的な底面図である。
【図１６】実施形態４の吸込口体の変形例１を示す簡易的な底面図である。
【図１７】実施形態５の回転ブラシの図９対応図である。
【発明を実施するための形態】
【００１２】
（実施形態１）
＜電気掃除機の全体構成＞
図１は本発明の実施形態１の吸込口体を備えた電気掃除機を示す外観斜視図である。
図１に示すように、この電気掃除機１は、電動送風機を内蔵する駆動装置１０Ａおよびこれに着脱可能に装着されるダストカップユニット１０Ｂを有する掃除機本体１０と、駆動装置１０Ａに離脱可能に装着されるバッテリー２０と、モータにて回転駆動する本発明の回転ブラシ４４（図３参照）を有する吸込口体４０と、吸込口体４０と掃除機本体１０とを気密的に接続する延長管３０とを備える。
また、この電気掃除機１は、バッテリー２０の電力を吸込口体４０内に設けられた回転ブラシ用モータ４５（図６参照）へ供給する図示しない電気配線部を備えている。
【００１３】
掃除機本体１０において、駆動装置１０Ａは、使用者が手で握るハンドル１０Ａａと、ハンドル１０Ａａに設けられ起動・停止スイッチを有する操作部１０Ａｂと、延長管３０の基端部を受け入れて離脱可能に接続する接続部１０Ａｃとを備える。
【００１４】
延長管３０の先端部には、吸込口体４０の接続パイプ部４２を受け入れて離脱可能に接続する接続部３０ａが設けられている。
吸込口体４０は、吸込口本体４１と、延長管３０の接続部３０ａが離脱可能に差し込まれる前記接続パイプ部４２と、吸込口本体４１に対して接続パイプ部４２を約９０度の角度範囲で前後に揺動させ、かつ、約１８０度の角度範囲で左右に捩じることが可能な関節部４３とを備える。
【００１５】
このような構成された電気掃除機１では、操作部１０Ａｂの起動スイッチが投入されると、電動送風機（図示省略）および回転ブラシ用モータ４５（図６参照）が駆動する。そして、ダストを含む空気が、吸込口体４０の回転する回転ブラシ４４を有する吸込口４１ａ1から延長管３０を通ってダストカップユニット１０Ｂ内に流入し、ダストがダストカップユニット１０Ｂにて捕捉されると共に、浄化された空気は駆動装置１０Ａの側面の図示しない排気口から排気される。
【００１６】
＜吸込口体の構成＞
図２は図１に示す電気掃除機の吸込口体の上面図であり、図３は図２に示す吸込口体の底面図であり、図４は図２に示す吸込口体の左側面図である。また、図５は図３に示す吸込口体のI-I矢視断面図であり、図６は図３に示す吸込口体のII-II矢視断面図であり、図７は図２に示す吸込口体の分解斜視図である。なお、図３と図５において、回転ブラシ４４における後述のブラシ部材および空気流調整用スペーサ部材は図示を省略している。
【００１７】
これらの図に示すように、吸込口体４０は、吸込口本体４１と、関節部４３を介して吸込口本体４１に揺動可能に連結された前記接続パイプ部４２とを備える。
吸込口本体４１は、底板部４１ａと、底板部４１ａに対面する天板部４１ｂと、進行方向（図２の矢印Ｘ方向）の前後に設けられた前板部４１ｃおよび後板部４１ｄと、天板部４１ｂの上から見て進行方向の左右に設けられた左側板部４１ｅおよび右側板部４１ｆを備える。
【００１８】
また、吸込口本体４１は、図３に示すように、底板部４１ａに設けられ左右方向（矢印Ａ方向）に伸びる吸込口４１ａ1と、吸込口４１ａ1の内側に設けられて前記回転ブラシ４４を回転可能に収納する回転ブラシ収納室４１ａ2と、回転ブラシ収納室４１ａ2と関節部４３とを接続する吸引流路４１ａ3（図５）と、回転ブラシ４４を駆動する前記回転ブラシ用モータ４５（図６）と、回転ブラシ４４の図３における左端部を覆うブラシカバー４１ｇと、底板部４１ａに設けられた持上げ検知スイッチ４７および車輪４８とを備える。なお、図３中の符号４１ｇ1はブラシカバー４１ｇに設けられた図示しないロック機構を開閉操作するスライド式の手動開閉レバーを示している。
【００１９】
図３と図５に示すように、吸引流路４１ａ3は、吸込口本体４１の左右長手方向（矢印Ａ方向）の中間部に設けられた筒部材にて構成されており、回転ブラシ収納室４１ａ2の左右長手方向の中間部と接続されている。そのため、吸引流路４１ａ3は、回転ブラシ収納室４１ａ2内に収納された回転ブラシ４４の左右長手方向の中間部に向かって開口している。
【００２０】
図４と図５に示すように、関節部４３は、軸心Ｐ1を中心とする円弧凸曲面を有する接続パイプ部４２の基端部に設けられた凸曲面部４３ａと、軸心Ｐ1を中心に凸曲面部４３ａを回動可能に受ける吸込口本体４１内に設けられた筒形の凹曲面部４３ｂとを有し、凹曲面部４３ｂが吸引流路４１ａ3の下流側端部と前後方向の軸心Ｐ2を中心に回動可能に接続されている。
【００２１】
図３と図７に示すように、吸込口体４０の左側板部４１ｅおよび右側板部４１ｆの内面には、回転ブラシ４４の両端部の後述する第１軸受部材４４ｂおよび第２軸受部材４４ｃを受ける第１受部４１ｅ1および第２受部４１ｆ1が設けられている。
また、図６に示すように、回転ブラシ用モータ４５の出力軸４５ａに固定されたタイミングプーリー４５ｂと、回転ブラシ４４に付設されたタイミングプーリー４４ｂ11とは、タイミングベルト４６によって結合されている。なお、回転ブラシ４４について詳しくは後述する。
【００２２】
したがって、前述のように、操作部１０Ａｂの起動スイッチが投入され、床面の清掃作業が開始されると、回転ブラシ用モータ４５により駆動される回転ブラシ４４によって床面のダストが掃き寄せられ、ダストを含む空気が吸込口体４０の吸込口４１ａ1から回転ブラシ収納室４１ａ2、吸引流路４１ａ3、関節部４３および接続パイプ部４２を通って延長管３０に流入し、延長管３０から掃除機本体１０のダストカップユニット１０Ｂ（図１）へ吸引される。
【００２３】
持上げ検知スイッチ４７は、車輪を有する揺動レバー部と、揺動レバー部を揺動可能に支持するスイッチ本体と、揺動レバー部を下方へ付勢するねじりコイルばねとを有し、スイッチ本体が底板部４１ａに収納された回転ブラシ用モータ駆動回路基板に接続され、揺動レバー部の車輪が底板部４１ａから外部下方へ露出している。
この構成によれば、吸込口体４０が持ち上げられて床面から離れると、持上げ検知スイッチ４７が働いて回転ブラシ用モータ４５の駆動を強制的に停止させることができる。
【００２４】
＜回転ブラシの構成＞
図８は実施形態１の回転ブラシを示す正面図であり、図９は図８に示す回転ブラシのIII-III矢視断面図である。また、図１０は図８に示す回転ブラシにおけるブラシ部材の取付構造を説明する断面図であり、図１１は図２に示す吸込口体の簡易的な底面図である。
図８〜図１１に示すように、回転ブラシ４４は、ブラシ本体４４ａと、ブラシ本体４４ａの軸方向の両端部に取り付けられた前記第１および第２軸受部４４ｂ、４４ｃとを備える。
【００２５】
［ブラシ本体］
ブラシ本体４４ａは、軸体４４ａ1と、軸体４４ａ1の表面に軸方向に延びるように設けられた複数のブラシ部材（起毛ブラシ）４４ａ2と、軸体４４ａ1の表面における隣接する二つのブラシ部材４４ａ2の間のスペースに設けられた空気流調整用スペーサ部材４４ａ3とを備える。
軸体４４ａ1は、円筒部材の表面に軸方向に螺旋状に延びる蟻溝形の複数の溝４４ａ11が形成されてなり、実施形態１の場合、８本の溝４４ａ11が周方向に等間隔でかつ軸体４４ａ1の一端部から他端部に亘って形成されている。
【００２６】
ブラシ部材４４ａ2は、軸体４４ａ1の溝４４ａ11に嵌め込まれる帯板形の基部４４ａ21と、溝部４４ａ11から外方へ突出するように基部４４ａ21に密集状に植設された多数のブラシ毛４４ａ22とを有する。
基部４４ａ21の長さ寸法は、溝部４４ａ11の長さ寸法と略等しく設定されている。
また、軸体４４ａ1の両端部に第１および第２軸受部４４ｂ、４４ｃが取り付けられた状態において、外部に露出する溝部４４ａ11の略全体から突出するようにブラシ毛４４Ａ22が基部４４ａ21の一面に植設されている。
実施形態１の場合、中心角度９０°毎に配置された４本の溝４４ａ11にそれぞれブラシ部材４４ａ2が取り付けられている。
【００２７】
スペーサ部材４４ａ3は、軸体４４ａ1の溝４４ａ11に嵌め込まれる基部４４ａ31と、溝部４４ａ11から外方へ突出するように基部４４ａ31に連設された膨出部４４ａ32とを有する。
基部４４ａ31の長さ寸法は、軸体４４1の長さ寸法よりも短く設定されている。
また、膨出部４４ａ32は、基部４４ａ31の一面の略全長に亘って設けられており、実施形態１の場合、基部４４ａ31の一面に密集状に植設された多数の縮れ毛にて構成されている。
【００２８】
このスペーサ部材４４ａ3における膨出部４４ａ32の軸体４４ａ1からの径方向への突出寸法は、ブラシ部材４４ａ2におけるブラシ毛４４ａ22の軸体４４ａ1からの径方向への突出寸法と同等またはそれよりも小さくなるよう設定されている。
このスペーサ部材４４ａ3は、実施形態１の場合、軸体４４ａ1における残り４本の溝４４ａ11にそれぞれ取り付けられている。このとき、各スペーサ部材４４ａ3の長手方向の中間部が軸体４４ａ1の長手方向の中間部に配置されかつ位置決めされるように、各スペーサ部材４４ａ3が取り付けられた各溝４４ａ11の両端側に、ゴムやプラスチック等からなる所定長さの帯板形の位置決め部材４４ｄが嵌め込まれている。この際、軸体４４ａ1の溝４４ａ11の一方の端部から位置決め部材４４ｄ、スペーサ部材４４ａ3、位置決め部材４４ｄをこの順に挿入することにより、スペーサ部材４４ａ3の長手方向の中間部が軸体４４ａ1の長手方向の中間部に配置されかつ位置決めされる。
【００２９】
このように軸体４４ａ1の８本の溝４４ａ11にブラシ部材４４ａ2とスペーサ部材４４ａ3とが交互に配置されることにより、隣接する二列のブラシ部材４４ａ2の間（ブラシ間）が部分的にスペーサ部材４４ａ3によって埋められることとなる。
実施形態１の場合、軸体４４ａ1の両端部に第１および第２軸受部４４ｂ、４４ｃが取り付けられた状態において、ブラシ間における軸方向の両端側にスペースＳ1が形成されるように、各溝４４ａ11に各スペーサ部材４４ａ3が配置されている（図８）。
【００３０】
したがって、この回転ブラシ４４においては、両端部に４箇所ずつ（合計８箇所）スペースＳ1が配置されている。
このスペースＳ1の長手方向の寸法Ｌ1は、軸体４４ａ1の長さ寸法に対するスペーサ部材４４ａ3の長さ寸法によって決定され、スペースＳ1の寸法Ｌ1としては、例えば、軸体４４ａ1の長さ寸法の５〜１０パーセント程度とすることができる。
なお、回転ブラシ４４にスペーサ部材４４ａ3を設けたことによる作用効果について詳しくは後述する。
【００３１】
［第１および第２軸受部］
図８に示すように、第１軸受部４４ｂは、軸体４４ａ1の一端部を嵌め入れてその一端部に固定される筒形の固定部４４ｂ1と、固定部４４ｂ1内に図示しないベアリングを介して取り付けられた軸部４４ｂ2と、軸部４４ｂ2に固定されたブロック形の軸受部４４ｂ3とを有する。
この第１軸受部４４ｂの固定部４４ｂ1には前記タイミングプーリー４４ｂ11（図６）が設けられると共に、回転ブラシ４４を吸込口本体４１に取り付ける際に軸受部４４ｂ3が前記第１受部４１ｅ1に嵌め込まれる（図７）。
【００３２】
第２軸受部４４ｃは、軸体４４ａ1の他端部を嵌め入れてその他端部に固定される筒形の固定部４４ｃ1と、固定部４４ｃ1内に図示しないベアリングを介して取り付けられた軸部４４ｃ2と、軸部４４ｃ2に固定されたブロック形の軸受部４４ｃ3とを有し、回転ブラシ４４を吸込口本体４１に取り付ける際に軸受部４４ｃ3が前記第２受部４１ｆ1に嵌め込まれる（図７）。
【００３３】
＜回転ブラシの作用効果について＞
実施形態１の回転ブラシ４４を備えた吸込口体４０によれば、図１１に示すように、吸引清掃時において、回転ブラシ４４の軸方向の両端側におけるブラシ間にスペースＳ1が設けられたことにより、回転ブラシ収納室４１ａ2における左右長手方向（矢印Ａ方向）の両側に空気が流れやすくなる。この結果、回転ブラシ４４が回転する吸引清掃時において、回転ブラシ収納室４１ａ2における左右長手方向（矢印Ａ方向）の中間部に吸引流路４１ａ3が近接していても、吸込口の左右長手方向において、吸込口体の吸引力の差を生じさせにくくすることができる。なお、吸込口４１ａ1の吸引力は左右長手方向（矢印Ａ方向）において平均化されるようにするのが好ましい。
【００３４】
つまり、吸引清掃時の回転ブラシ収納室内４１ａ2において、左右長手方向の中間部での空気流Ｆ1の速度（負圧）と、左右長手方向の両端部での空気流Ｆ2の速度（負圧）とが同程度となり、この結果、吸込口４１ａ1の左右長手方向の中間部と両端部の吸引力が同程度となり、吸込口の位置による吸引力の差が小さく抑えられる。
この結果、絨毯やマットといった敷物上で吸込口体４０を走行させて吸引清掃する際、ダストの除去ムラが生じる、吸込口４１ａ1に敷物が吸い付きやすくなって吸込口体４０の敷物上での滑りが悪くなるといった不具合が解消される。
【００３５】
（実施形態１の変形例１）
実施形態１では、回転ブラシ４０の左右長手方向（矢印Ａ方向）の両端部におけるブラシ間にスペースＳ1を配置した場合を例示したが、複数列のスペーサ部材４４ａ3を左端部または右端部まで移動させて右端部または左端部のみにスペースを配置する、すなわち、周方向にむかって右端部のスペースと左端部のスペースを交互に配置してもよい（図示省略）。この際、軸体４４ａ1の溝４４ａ11の一方の端部から位置決め部材４４ｄ、スペーサ部材４４ａ3をこの順に挿入し、次の隣接する溝４４ａ11の一方の端部からスペーサ部材４４ａ3、位置決め部材４４ｄをこの順に挿入し、これを残り２つの溝４４ａ11に対しても繰り返すことにより、周方向にむかって右端部のスペースと左端部のスペースを交互に配置することができる。
【００３６】
（実施形態１の変形例２）
実施形態１とその変形例１とを組み合わせてもよい。すなわち、例えば、周方向に向かって左右両端部、左端部、左右両端部、右端部の順にスペースを配置してもよい。
【００３７】
（実施形態２）
図１２は実施形態２の回転ブラシにおけるブラシ部材の取付構造を説明する断面図である。なお、図１２において、図１０中の要素と同様の要素には同一の符号を付している。
実施形態２の回転ブラシ１４４は、軸体４４ａ1の溝４４ａ11に取り付けられたスペーサ部材４４ａ3の位置決めをする位置決め部材１４４ｄの形状が異なる以外は、実施形態１の回転ブラシ４４と同様に構成されている。
【００３８】
実施形態２において、位置決め部材１４４ｄは、溝４４ａ11に嵌り込む板状の楔部１４４ｄ1と、溝部４４ａ11から外部へ突出するように楔部１４４ｄ1に連設された三角形の摘み部１４４ｄ2とを有してなる。
【００３９】
軸体４４ａ1の溝４４ａ11にスペーサ部材４４ａ3を位置決めする際、スペーサ部材４４ａ3の長手方向両端部の下に、一対の位置決め部材１４４ｄの楔部１４４ｄ2の鋭角な先端部を差し込むことにより容易に位置決めをすることができる。また、摘み部１４４ｄ2をピンセットといった道具で摘んで溝４４ａ11に沿ってスライドさせることにより、スペーサ部材４４ａ3の位置調整や位置変更を容易に行うことができる。
【００４０】
（実施形態３）
図１３は実施形態３の吸込口体の簡易的な底面図である。なお、図１３において、図１１中の要素と同様の要素には同一の符号を付し、回転ブラシは簡略化し、ドット領域をブラシ部材、クロスハッチング領域をスペーサ部材として示している。
【００４１】
図１３に示すように、実施形態３の回転ブラシ２４４は、複数に分割可能に構成されたスペーサ部材２４４ａ3を有すること以外は、実施形態１と同様に構成されている。
実施形態３のスペーサ部材２４４ａ3は、実施形態１のスペーサ部材４４ａ3を半分の長さに切断して形成した一対の分割体２４４ａ31からなる。
【００４２】
スペーサ部材２４４ａ3を二分割可能に構成することにより、図１３に示すように一対の分割体２４４ａ31を互いに当接させて一本化することにより、実施形態１と同様に左右長手方向（矢印Ａ方向）の両側にスペースＳ1を形成することができることに加え、図１４に示すように一対の分割体２４４ａ31を互いに離間させてそれらの間にスペースＳ2を形成することも可能となる。この場合、実施形態１の帯板形の位置決め部材４４ｄや、実施形態２で説明した楔形の位置決め部材１４４ｄ（図１２）を用いることによりスペーサ部材２４４ａ3の位置変更および位置決めを容易に行うことができる。
【００４３】
（実施形態３の変形例１）
図１４は実施形態３の吸込口体の変形例１を示す簡易的な底面図である。
図１４に示す実施形態３の変形例１の吸込口体２４０ｘでは、回転ブラシ２４４ｘの左右長手方向（矢印Ａ方向）の両端部と中間部に周方向に向かって交互にスペースＳ1、Ｓ2を配置することにより、吸込口４１ａ1の左右長手方向の位置での吸引力を平均化している。このようなスペースＳ1、Ｓ2の配置形態によっても、実施形態１と同様の効果を得ることができる。
【００４４】
（実施形態３の変形例２）
実施形態３の変形例１と実施形態１の変形例１を組み合わせてもよい。すなわち、例えば、周方向に向かって左右両端部、左端部、中間部、右端部の順にスペースを配置してもよい。
【００４５】
（実施形態４）
図１５は実施形態４の吸込口体の簡易的な底面図である。なお、図１５において、図１１中の要素と同様の要素には同一の符号を付し、回転ブラシは簡略化し、ドット領域をブラシ部材、クロスハッチング領域をスペーサ部材として示している。
【００４６】
図１５に示すように、実施形態４の回転ブラシ３４４は、三分割可能に構成されたスペーサ部材３４４ａ3を有すること以外は、実施形態１と同様に構成されている。
実施形態４のスペーサ部材３４４ａ3は、実施形態１のスペーサ部材４４ａ3を３分の１の長さに切断して形成した三つの分割体３４４ａ31からなる。
【００４７】
スペーサ部材３４４ａ3を三分割可能に構成することにより、図１５に示すように三つの分割体３４４ａ31を互いに当接させて一本化することにより、実施形態１と同様に左右長手方向（矢印Ａ方向）の両側にスペースＳ1を形成することができることに加え、図１６に示すように三つの分割体３４４ａ31を互いに離間させてそれらの間にスペースＳ3を形成することも可能となる。この場合、実施形態１の帯板形の位置決め部材４４ｄや、実施形態２で説明した楔形の位置決め部材１４４ｄ（図１２）を用いることによりスペーサ部材２４４ａ3の位置変更および位置決めを容易に行うことができる。
【００４８】
（実施形態４の変形例１）
図１６は実施形態４の吸込口体の変形例１を示す簡易的な底面図である。
図１６に示す実施形態４の変形例１の吸込口体３４０ｘでは、回転ブラシ３４４ｘの左右長手方向（矢印Ａ方向）の両端部と左右中間部寄りの二箇所に周方向に向かって交互にスペースＳ1、Ｓ3を配置することにより、吸込口の左右長手方向において、吸込口体の吸引力の差を生じさせにくくすることができる。なお、吸込口４１ａ1の左右長手方向の位置での吸引力を平均化することが好ましい。このようなスペースＳ1、Ｓ3の配置形態によっても、実施形態１と同様の効果を得ることができる。
【００４９】
（実施形態４の変形例２）
スペーサ部材３４４ａ3における二つの分割体３４４ａ31を互いに当接させて左端部へ移動させ、かつ残りの分割対３４４ａ31を右端部へ移動させることにより、右中間寄りの一箇所にスペースを形成し、隣接する他のスペーサ部材３４４ａ3では逆にして左中間寄りの一箇所にスペースを形成し、これらを周方向に向かって交互に繰り返すスペースの配置形態としてもよい。
【００５０】
（実施形態４の変形例３）
実施形態４の変形例１および変形例２を組み合わせてもよい。すなわち、例えば、周方向に向かって左右両端部、左中間部寄り、左右中間部寄り、右中間部寄りの順にスペースを配置してもよい。
【００５１】
（実施形態４の変形例４）
実施形態４の変形例１と実施形態１の変形例１を組み合わせてもよい。すなわち、例えば、周方向に向かって左右両端部、左端部、左右中間部寄り、右端部の順にスペースを配置してもよい。
【００５２】
（実施形態４の変形例５）
実施形態４の変形例２と実施形態１の変形例１を組み合わせてもよい。すなわち、例えば、周方向に向かって左端部、左中間部寄り、右中間部寄り、右端部の順にスペースを配置してもよい。
【００５３】
（実施形態５）
図１７は実施形態５の回転ブラシの図９対応図である。なお、図１７において、図９中の要素と同様の要素には同一の符号を付している。
実施形態５の回転ブラシ４４４は、発泡樹脂からなるスペーサ部材４４４ａ3を有すること以外は、実施形態１と同様に構成されている。
【００５４】
実施形態５におけるスペーサ部材４４４ａ3は、軸体４４ａ1の溝４４ａ11に嵌め込まれる基部４４４ａ31と、溝部４４ａ11から外方へ突出するように基部４４４ａ31に連設された横断面円弧形の膨出部４４４ａ32とを有し、全体が発泡樹脂（例えば、ウレタンフォーム）にて一体成形されている。
基部４４４ａ31の長さ寸法は、軸体４４1の長さ寸法よりも短く設定されている。
また、膨出部４４４ａ32は、基部４４４ａ31の一面の略全長に亘って設けられており、実施形態５の場合、基部４４ａ31の一面に細長い連結部４４４ａ33を介して連設されている。
【００５５】
このスペーサ部材４４４ａ3によれば、絨毯やマットといった敷物に対する回転ブラシの滑り性をより一層向上させることができる。
なお、実施形態５の回転ブラシ４４４も、実施形態１およびその変形例と同様にスペーサ部材４４４ａ3を配置してスペースを形成することができると共に、実施形態２〜４およびそれらの変形例と同様にスペーサ部材４４４ａ3を分割可能に構成し、かつ様々にスペースを配置することができる。また、実施形態５の場合も、実施形態１の帯板形の位置決め部材４４ｄや、実施形態２で説明した楔形の位置決め部材１４４ｄ（図１２）を用いることによりスペーサ部材４４４ａ3の位置変更および位置決めを容易に行うことができる。
【００５６】
（他の実施形態）
１．本発明の回転ブラシには、空気流調整用スペーサ部材が周方向の少なくとも一箇所に設けられている実施形態が含まれる。例えば、実施形態１において、四つのスペーサ部材のうちの一つ〜三つを省略してもよく、あるいは四つのスペーサ部材のうちの一つ〜三つをゴムブレードに置き換えてもよい。実施形態２〜５およびそれらの変形例においても同様である。
２．前記実施形態では回転ブラシの軸体に設けられた溝の数が８本の場合を例示したが、溝の数は例えば３〜７本でもよく、溝の数に応じて溝の螺旋度合いを変更してもよい。
３．前記実施形態では回転ブラシの軸体に螺旋状に溝が設けられた場合を例示したが、軸体に直線状の溝を設けてもよい。
【００５７】
４．前記実施形態では回転ブラシをモータにて回転させる駆動方式の吸込口体を例示したが、吸引清掃時の空気流によって回転するタービンの回転力を回転ブラシに伝達する駆動方式の吸込口体であってもよい。
５．前記実施形態ではサイクロン方式のスティック型電気掃除機の吸込口体を例示したが、本発明の回転ブラシを備えた吸込口体は、サイクロン方式や紙パック方式といった集塵方式を問わず、吸込性能が異なるキャニスター型、アップライト型、ハンディ型等の電気掃除機に用いてもよい。
【００５８】
（まとめ）
本発明の回転ブラシは、電気掃除機の吸込口体に回転可能に取り付けられる回転ブラシであって、
軸体と、前記軸体の表面に軸方向に延びるように配列された複数列の細長いブラシ部材と、前記軸体の表面における隣接する二列のブラシ部材の間のスペースに設けられた空気流調整用スペーサ部材とを備え、
前記空気流調整用スペーサ部材は、前記スペースを部分的に埋めるように前記軸体の軸方向の長さ寸法よりも短い長さ寸法を有する。
【００５９】
本発明の回転ブラシは、次のように構成されてもよく、それらが適宜組み合わされてもよい。
（１）前記軸体は、表面に複数の溝部を有し、
前記空気流調整用スペーサ部材は、前記溝部に嵌め込まれる基部と、前記溝部から外方へ突出するように前記基部に設けられた膨出部とを有してもよい。
この構成によれば、軸体へのスペーサ部材の着脱を容易に行うことができると共に、スペーサ部材の軸体での軸方向の位置調整も容易に行うことができる。
【００６０】
（２）前記膨出部が、前記基部に植設された複数の縮れ毛を有してもよい。
この構成によれば、縮れ毛であるため広がってスペースを埋めやすくなると共に、縮れ毛をブラシ部材間の補助ブラシとして機能させることができる。
【００６１】
（３）前記空気流調整用スペーサ部材が、発泡樹脂からなるのもよい。
この構成によれば、絨毯やマットといった敷物に対する回転ブラシの滑り性をより一層向上させることができる。
【００６２】
（４）前記軸体の前記溝部に嵌め込まれて前記空気流調整用スペーサ部材を位置決めする位置決め材をさらに備えてもよい。
この構成によれば、スペーサ部材の軸体での軸方向の位置調整および固定を容易に行うことができる。
【００６３】
（５）前記空気流調整用スペーサ部材が、複数に分割可能に構成されてもよい。
この構成によれば、軸体のブラシ部材間においてスペーサ部材を様々な配置パターンで配置することができる。
【００６４】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６５】
１  電気掃除機
４０  吸込口体
４１  吸込口本体
４１ａ1  吸込口
４１ａ2  回転ブラシ収納室
４４、１４４、２４４、３４４、４４４  回転ブラシ
４４ａ1  軸体
４４ａ2  ブラシ部材（起毛ブラシ）
４４ａ3、４４４ａ3  空気流調整用スペーサ部材
４４ａ11  溝部
４４ａ31  基部
４４ａ32  膨出部
４４ｄ、１４４ｄ  位置決め材
【図１】
2019201872.tif 000003
【図２】
2019201872.tif 000004
【図３】
2019201872.tif 000005
【図４】
2019201872.tif 000006
【図５】
2019201872.tif 000007
【図６】
2019201872.tif 000008
【図７】
2019201872.tif 000009
【図８】
2019201872.tif 000010
【図９】
2019201872.tif 000011
【図１０】
2019201872.tif 000012
【図１１】
2019201872.tif 000013
【図１２】
2019201872.tif 000014
【図１３】
2019201872.tif 000015
【図１４】
2019201872.tif 000016
【図１５】
2019201872.tif 000017
【図１６】
2019201872.tif 000018
【図１７】
2019201872.tif 000019